(57)【要約】【課題】オフィス等の家具什器上にパネルを立設する場合に、固定具等が外部に露呈することなく、外観上の見栄えを良好とすることができるとともに、作業性においても優れたものとする。【解決手段】家具什器におけるパネルの取付面に、パネルの板厚より広幅な支持溝を形成し、この支持溝内にパネルの下端部を挿入して支持させるとともに、パネルの下端部の少なくとも一方の側面に弾性的に当接しうる当接部を備えるカバー支持具を支持溝内に配設して、前記側面と当接部とをもって、カバー部材を挟持することにより、カバー部材により、パネルを支持させた後の支持溝の上部開口部分を閉塞したカバーの取付構造とする。【選択図】  図７
2010082368.tif 000002
【特許請求の範囲】
【請求項１】
家具什器におけるパネルの取付面に、パネルの板厚より広幅な支持溝を形成し、この支持溝内にパネルの下端部を挿入して支持させるとともに、パネルの下端部の少なくとも一方の側面に弾性的に当接しうる当接部を備えるカバー支持具を支持溝内に配設して、前記側面と当接部とをもって、カバー部材を挟持することにより、カバー部材により、パネルを支持させた後の支持溝の上部開口部分を閉塞したことを特徴とするカバーの取付構造。
【請求項２】
カバー支持具を、パネルの板厚よりも広幅な底部と、この底部のパネル板厚方向の両縁より互いに近接する方向に立上る両側部と、この側部に連設されたパネル側面に弾性的に当接しうる当接部と、この当接部の上端に連設された互いに離間する方向に立上る案内部とより構成したものとした請求項１記載のカバーの取付構造。
【請求項３】
カバー支持具を、その底部の幅を支持溝の溝幅に近似させて、パネルの板厚よりも広幅なものとした請求項２記載のカバーの取付構造。
【請求項４】
カバー支持具を、その底部の幅をパネルの板厚に近似させて、この板厚よりも広幅なものとした請求項２記載のカバーの取付構造。
【請求項５】
カバー支持具を、その当接部とパネルの側面とをもって、カバー部材を面接触状態で挟持しうるようにした請求項１〜４のいずれかに記載のカバーの取付構造。
【請求項６】
カバー支持具を、その底部、両側部、当接部および案内部を、それぞれ板状体をもって形成した請求項２〜５のいずれかに記載のカバーの取付構造。
【請求項７】
カバー支持具を、一対の支持部材で構成し、各支持部材の当接部と、パネルの各一方の側面とをもって、カバー部材を挟持させるようにした請求項１記載のカバーの取付構造。
【請求項８】
パネルを支持溝内に配置した固定具により支持するとともに、カバー支持具を、前記固定具に固着した請求項７記載のカバーの取付構造。
【発明の詳細な説明】
【技術分野】
【０００１】
本発明は、オフィス等の執務エリアにて使用される間仕切装置や、デスク、テーブル、キャビネット等の什器上面に取り付けることによって、什器の前後で空間を区画するのに用いられる仕切りパネルの立設構造に関し、詳しくは、このパネルの立設構造におけるカバーの取付構造に関する。
【背景技術】
【０００２】
オフィス等の執務エリアにおける什器上面に仕切りパネルを立設する構造としては、什器の取付面に凹溝を形成しておき、この凹溝にパネル下端部を嵌入させることによって支持する方法が多く見られている（たとえば、特許文献１）。しかし、この構造は、パネル下端部を凹溝内に単に嵌合させることによって支持するものであるため、パネル下端部と凹溝間に、間隙が生じ易く、支持強度が弱いばかりでなく、パネルのぐらつきが生ずる場合もある。一方、これを防止するため、嵌合度合を緊締にすると、パネル下端部の凹溝内への嵌合作業性が悪くなるという問題がある。
【０００３】
また、什器の取付面に固定金具を取付、この固定金具を用いて仕切りパネルを前後面から挟持することによって仕切りパネルを立設する構造が公知である（たとえば、特許文献２〜４）。これによれば、パネルを支持強度を確保して、位置安定性よく、凹溝に立設することができる。しかし、一方、固定金具が外部に露呈するため、見栄えが悪くなる虞があるばかりでなく、什器における固定金具の取付部が、加工誤差等の要因によって平面でない場合には、固定金具が斜めになり、パネルが傾斜した状態で固定されてしまうという問題もあった。
【特許文献１】実開平７−２３１２２号公報
【特許文献２】特開２００３−１３５２０号公報
【特許文献３】特開２００３−３２５２５８号公報
【特許文献４】特開２００６−２６５９３２号公報
【発明の開示】
【発明が解決しようとする課題】
【０００４】
本発明は、前記の現状に鑑み、オフィス等の執務エリアにおける家具什器上にパネルを立設する場合に、パネルを支持する固定具等が外部に露呈することなく、外観上の見栄えを良好とすることができるとともに、作業性においても優れるカバーの取付構造を提供することを目的とする。
【課題を解決するための手段】
【０００５】
上記課題は、「特許請求の範囲」における各請求項に示すように、次のような構成からなる発明によって解決される。
（１）家具什器におけるパネルの取付面に、パネルの板厚より広幅な支持溝を形成し、この支持溝内にパネルの下端部を挿入して支持させるとともに、パネルの下端部の少なくとも一方の側面に弾性的に当接しうる当接部を備えるカバー支持具を支持溝内に配設して、前記側面と当接部とをもって、カバー部材を挟持することにより、カバー部材により、パネルを支持させた後の支持溝の上部開口部分を閉塞したことを特徴とするカバーの取付構造とする。
【０００６】
（２）上記(１)項において、カバー支持具を、パネルの板厚よりも広幅な底部と、この底部のパネル板厚方向の両縁より互いに近接する方向に立上る両側部と、この側部に連設されたパネル側面に弾性的に当接しうる当接部と、この当接部の上端に連設された互いに離間する方向に立上る案内部とより構成する。
【０００７】
（３）上記(２)項において、カバー支持具を、その底部の幅を支持溝の溝幅に近似させて、パネルの板厚よりも広幅なものとする。
【０００８】
（４）上記(２)項において、カバー支持具を、その底部の幅をパネルの板厚に近似させて、この板厚よりも広幅なものとする。
【０００９】
（５）上記(１)項〜(４)項のいずれかにおいて、カバー支持具を、その当接部とパネルの側面とをもって、カバー部材を面接触状態で挟持しうるようにする。
【００１０】
（６）上記(２)項〜(５)項のいずれかにおいて、カバー支持具を、その底部、両側部、当接部および案内部を、それぞれ板状体をもって形成する。
【００１１】
（７）上記(１)項において、カバー支持具を、一対の支持部材で構成し、各支持部材の当接部と、パネルの各一方の側面とをもって、カバー部材を挟持させるようにする。
【００１２】
（８）上記(７)項において、パネルを支持溝内に配置した固定具により支持するとともに、カバー支持具を、前記固定具に固着する。
【発明の効果】
【００１３】
本発明によると、各請求項に記載の発明は、次のような効果が奏せられる。
請求項１記載の発明によれば、カバー部材により、パネルを支持させた後の支持溝の上部開口部分を閉塞してあるため、パネルを支持する固定具等が外部に露呈することなく、外観上の見栄えを良好とすることができるとともに、家具什器におけるパネルの取付面に、パネルの板厚より広幅な支持溝を形成し、この支持溝内にパネルの下端部を挿入して支持させるとともに、パネルの下端部の少なくとも一方の側面に弾性的に当接しうる当接部を備えるカバー支持具を支持溝内に配設して、前記側面と当接部とをもって、カバー部材を挟持することにより、カバー部材を取付けてあるため、カバー部材の取付け時の作業性においても優れる。
【００１４】
請求項２記載の発明によれば、当接部がパネルの側面に弾性的に当接しうるカバー支持具を容易に得ることができる。
【００１５】
請求項３記載の発明によれば、当接部がパネルの側面に良好な状態で弾性的に当接し、かつ、この弾性的な当接状態が経時的に弱くなることが殆どないカバー支持具を容易に得ることができる。また、案内部が互いに離間する方向に立上っているため、カバー部材の一側板を、上方からパネルの側面と当接部間に容易に挟持することができる。
【００１６】
請求項４記載の発明によれば、カバー支持具の当接部とパネル側面とをもって、カバー部材を可及的に広い範囲で面接触状態で挟持することができるため、カバー部材の挟持強度が大きくなる。
【００１７】
請求項５記載の発明によれば、カバー部材の挟持強度が大きくなる。
【００１８】
請求項６記載の発明によれば、カバー支持具の形成が容易であるとともに、カバー支持具の強度も大きくなる。
【００１９】
請求項７記載の発明によれば、パネルの側面と、カバー支持具の当接部とをもって、カバー部材の側板を挟持する強度を、パネルの各側面毎に調整することができる。
【００２０】
請求項８記載の発明によれば、カバー支持具の位置安定性を良好にして、カバー部材の側板を挟持する強度を確保することができる。
【発明を実施するための最良の形態】
【００２１】
以下、本発明を、具体的な実施形態を挙げて、詳細に説明する。
図１は、カウンターとテーブル間、およびテーブル間同士の仕切板上に、本発明を実施して、半透明のパネルを支持した状態を示す斜視図である。図２は、図１における要部拡大斜視図、図３は、一部破断して示す図２の拡大平面図、図４は、図３におけるIV-IV線縦断面拡大図である。
【００２２】
図３、図４に示すように、パネル１を支持させる仕切板２の上端の取付面３には、長手方向に凹状の支持溝４が形成されている。
【００２３】
支持溝４は、仕切板２を構成する金属製の前後側面板５、５間の上端部近傍に、上向きコ字状部材６を溶着して形成されている。前後側面板５、５および上向きコ字状部材６の上端は、内向きに曲折されている。
【００２４】
支持溝４は、パネル１の板厚より広幅であって、パネル下端部１ａが、支持溝内に挿入され、溝幅方向のほぼ中央に配置されている。パネル下端部１ａの一方の側面１ｂと、支持溝４の一方の側壁４ａとの間隙には、固定具７が配置されている。
【００２５】
パネル下端部１ａの他方の側面１ｃと、支持溝４の他方の側壁４ｂとの間隙には、スペーサ部材８が配置されている。図６は、スペーサ部材８の斜視図である。スペーサ部材８は、図６に示すように、金属製であり、支持溝４の溝方向に長手であって、下方が開口する箱状をなしている。
【００２６】
固定具７は、一対の固定部材９、１０よりなる。図５は、固定具７の分解斜視図である。
【００２７】
図４、図５に示すように、一方の固定部材(Ａ)９は、支持溝４の底面４ｃと当接される下面９ａと、この下面９ａと垂直をなし、支持溝側壁４ａと当接される垂面９ｂと、前記下面９ａと垂面９ｂ間を結ぶ斜面９ｃとを備えている。
【００２８】
他方の固定部材(Ｂ)１０は、固定部材(Ａ)９の斜面９ｃと当接される斜面１０ａと、パネル１の下端部側面１ｂと当接される垂面１０ｂと、この垂面１０ｂと斜面１０ａ間を結ぶ押圧上面１０ｃとを備えている。
【００２９】
固定部材(Ａ)９には、上下方向のねじ孔９ｄが螺設され、固定部材(Ｂ)１０には、上下方向の挿通孔１０ｄが穿設されている。
前記挿通孔１０ｄは、支持溝４の溝幅方向の長孔となっている。
【００３０】
固定部材(Ａ)９の上に、固定部材(Ｂ)１０が、両部材の斜面同士９ｃ、１０ａが対向して当接する状態で配置されており、上方から締結ねじ１１を固定部材(Ｂ)１０の挿通孔１０ｄを介して、固定部材(Ａ)９のねじ孔９ｄに螺合して上下方向に締結することにより、両部材９、１０は、斜面を介して相互に摺動し、これにより上下方向の締結力が左右方向の外側向きの力に変換される。
【００３１】
このため、パネル下端部１ａは、固定具７と支持溝４の一方の側壁４ｂ間にスペーサ部材８を介して挟持される。すなわち、予めスペーサ部材８の幅を支持溝４の溝幅の半分程度弱にしておくことにより、パネル１は、支持溝４の溝幅のほぼ中央に、強固に支持される。なお、図示を省略したが、たとえば、スペーサ部材８と、パネル下端部１ａの側面１ｃまたは支持溝４の側壁４ｂ間等には、必要に応じて適宜、ゴム板などのクッション材を挿着することもできる。
【００３２】
固定具７とスペーサ部材８によるパネル１の支持は、図３に示すように、支持溝４の複数箇所に固定具７等を配置して行うことにより、パネル１は、支持溝４上に強固に位置安定よく支持される。
【００３３】
また、比較的溝幅の小さい支持溝などの場合は、スペーサ部材８を用いることなく、固定具７のみでパネル１を支持溝上に支持させることも任意である。
【００３４】
パネル１を支持させた後の支持溝４の上部開口部分は、カバー部材１２によって閉塞されている。以下、このカバー部材１２の取付構造について説明する。
【００３５】
図７は、図３におけるVII-VII線縦断面拡大図である。
支持溝４内に、カバー支持具１３が配設されている。図８は、カバー支持具１３の斜視図である。図７、図８に示すように、カバー支持具１３は、パネル１の板厚よりも広幅な底部１３ａと、この底部１３ａのパネル板厚方向の両縁より互いに近接する方向に立上る両側部１３ｂ、１３ｂとこの側部１３ｂに連設されたパネル側面に弾性的に当接しうる当接部１３ｃと、この当接部１３ｃの上端に連設された互いに離間する方向に立上る案内部１３ｄとより構成されている。これらの底部１３ａ、側部１３ｂ、当接部１３ｃ、案内部１３ｄは、それぞれ板状体をもって形成されている。
【００３６】
カバー支持具１３の底部１３ａの幅は、パネル１の板厚よりも広幅なものとし、本実施形態では支持溝４の溝幅に近似させてあるが、この底部１３ａの幅は、必要に応じ適宜のものとすればよい。
【００３７】
カバー支持具１３の当接部１３ｃ、１３ｃは、この当接部１３ｃ、１３ｃとパネル１の側面１ｂ、１ｃとをもって、カバー部材１２を面接触状態で挟持しうるように、パネル１の側面１ｂ、１ｃと平行に上下方向に所定の長さ延設されている。この当接部１３ｃは、パネル下端部１ａの側面１ｂ、１ｃに弾性的に当接しうるように形成されている。
【００３８】
なお、本明細書において、カバー支持具の当接部がパネルの側面に弾性的に当接しうるとは、当該当接部とパネルの側面とをもって、カバー部材の一側面を挟持した状態において、前記当接部が、カバー部材の前記一側面を介して、パネルの側面に弾性的に当接する場合を含めて指称する。
【００３９】
図９は、カバー部材１２の斜視図である。
カバー部材１２は、図７、図９に示すように、支持溝４の溝方向に長手の下向きコ字状をなし、パネル１の側面１ｂ、１ｃに当接しない方の側板１２ａの下端が内向きに曲折されて内向片１２ｂが形成され、さらにその遊端が下向きに曲折されて下向片１２ｃとされている。
【００４０】
カバー部材１２は、上方より、カバー部材１２における、パネル１の側面１ｂ、１ｃと当接させる方の側板１２ｄ、１２ｄを、前記側面１ｂ、１ｃとカバー支持具１３の当接部１３ｃとをもって、挟持させるとともに、カバー部材１２の内向片１２ｂを、仕切板２を構成する側面板５の上端部に形成された内向縁部５ａ上に載置することにより取付けられ、これによりパネル１を支持させた後の支持溝４の上部開口部分が閉塞されている。
【００４１】
カバー支持具１３は、図３に示すように、支持溝４の複数箇所に配置して、カバー部材１２を挟持することにより、カバー部材１２が位置安定よく取付けられる。
【００４２】
図１０は、別実施形態のカバー支持具１４の正面図である。この実施形態では、カバー支持具１４の底部１４ａの幅を、パネル１の板厚に近似させて、この板厚よりもわずかに広幅なものとしてある。このようにすることにより、カバー支持具１４の当接部１４ｂとパネル側面とをもって、カバー部材１２を可及的に広い範囲で面接触状態で挟持することができる。
【００４３】
図１１〜１３は、カバー支持具１５のさらに別の実施形態を示す図面であり、図１１は、図３に相当する平面図、図１２は、図１１におけるXII-XII線縦断面拡大図、図１３は、図１２に断面図として示す組立図の要部分解斜視図である。
【００４４】
本実施形態においては、カバー支持具１５は、一対の支持部材１５ａ、１５ａで構成されている。すなわち、図７におけるカバー支持具１３を、やや扁平なものとし、中央で２個に分割した形態に類似の形状をなしている。各支持部材１５ａは、底部１５ｂと、この底部１５ｂの外側縁からパネル１６に近接する向きに立上る側部１５ｃと、この側部１５ｃの上端を外側に向けて曲折して延設してなる案内部１５ｄと、前記曲折部により形成される当接部１５ｅとから構成されている。
【００４５】
図１２、図１３に示すように、本実施形態のカバー支持具１５は、図４に示したと同一の固定具１７およびスペーサ部材１８に固定されている。すなわち、各支持部材１５ａの底部１５ｂには、切欠１５ｆが穿設されている。一方の支持部材１５ａは、締結ねじ１９をもって、前記切欠１５ｆを介して、固定具１７に固着され、他方の支持部材１５ａは、止めねじ２０をもって、前記切欠１５ｆを介して、スペーサ部材１８に固着されている。
【００４６】
各支持部材１５ａの当接部１５ｅは、それぞれパネル１６の一方の側面に弾性的に当接しうるようになっており、各カバー部材２１は、その一側板２１ａがそれぞれの当接部１５ｅとパネル１６の一方の側面とをもって、挟持されることにより、取付けられている。
【図面の簡単な説明】
【００４７】
【図１】カウンターとテーブル間、およびテーブル間同士の仕切板上に、本発明を実施して、半透明のパネルを支持した状態を示す斜視図である。
【図２】図１における要部拡大斜視図である。
【図３】一部破断して示す図２の拡大平面図である。
【図４】図３におけるIV-IV線縦断面拡大図である。
【図５】固定具の分解斜視図である。
【図６】スペーサ部材の斜視図である。
【図７】図３におけるVII-VII線断面拡大図である。
【図８】カバー支持具の斜視図である。
【図９】カバー部材の斜視図である。
【図１０】別実施形態のカバー支持具の正面図である。
【図１１】図３に相当する平面図である。
【図１２】図１１におけるXII-XII線縦断面拡大図である。
【図１３】図１２に断面図として示す組立図の要部分解斜視図である。
【符号の説明】
【００４８】
１    パネル
１ａ  パネル下端部
１ｂ、１ｃ  側面
２    仕切板
３    取付面
４    支持溝
４ａ、４ｂ  側壁
４ｃ  底面
５    側面板
５ａ  内向縁部
６    上向きコ字状部材
７    固定具
８    スペーサ部材
９    固定部材Ａ
９ａ  下面
９ｂ  垂面
９ｃ  斜面
９ｄ  ねじ孔
１０  固定部材Ｂ
１０ａ  斜面
１０ｂ  垂面
１０ｃ  押圧上面
１０ｄ  挿通孔
１１  締結ねじ
１２  カバー部材
１２ａ  側板
１２ｂ  内向片
１２ｃ  下向片
１２ｄ  側板
１３  カバー支持具
１３ａ  底部
１３ｂ  側部
１３ｃ  当接部
１３ｄ  案内部
１４  カバー支持具
１４ａ  底部
１４ｂ  当接部
１５  カバー支持具
１５ａ  支持部材
１５ｂ  底部
１５ｃ  側部
１５ｄ  案内部
１５ｅ  当接部
１５ｆ  切欠
１６  パネル
１７  固定具
１８  スペーサ部材
１９  締結ねじ
２０  止めねじ
２１  カバー部材
２１ａ  側板
【図１】
2010082368.tif 000003
【図２】
2010082368.tif 000004
【図３】
2010082368.tif 000005
【図４】
2010082368.tif 000006
【図５】
2010082368.tif 000007
【図６】
2010082368.tif 000008
【図７】
2010082368.tif 000009
【図８】
2010082368.tif 000010
【図９】
2010082368.tif 000011
【図１０】
2010082368.tif 000012
【図１１】
2010082368.tif 000013
【図１２】
2010082368.tif 000014
【図１３】
2010082368.tif 000015